(57)【要約】【課題】  本発明は、框体にシート材を容易に固定できると共に、框体の形状を問わずにシート材のしわを伸ばして緊張させた状態で固定できて体裁も良好であり、シート材の長期的な耐用性も確保できて様々な建具に広く適用できるパネル体を提供することを目的とする。【解決手段】  框体１とシート材２とエッジ材４とを備え、シート材２は、上下又は左右端部が開放する筒状のものであると共に框体１に被せてあり、エッジ材４は、シート材２の閉塞側に位置する上下框１ａ，１ｂ又は左右框１ｃ，１ｄの外周側に取り付けてシート材２の閉塞側端部２ｂ，２ｂを挟着してシート材２を緊張させるものであり、シート材２の開放側端部２ａ，２ａは、シート材２の開放側に位置する上下框１ａ，１ｂ又は左右框１ｃ，１ｄに固定してあることを特徴とする。  【選択図】      図１（ａ）（ｂ）
2009079467.tif 000002
【特許請求の範囲】
【請求項１】
框体とシート材とエッジ材とを備え、シート材は、上下又は左右端部が開放する筒状のものであると共に框体に被せてあり、エッジ材は、シート材の閉塞側に位置する左右框又は上下框の外周側に取り付けてシート材の閉塞側端部を挟着してシート材を緊張させるものであり、シート材の開放側端部は、シート材の開放側に位置する上下又は左右框に固定してあることを特徴とするパネル体。
【請求項２】
框体とシート材とエッジ材とを備え、シート材は、上下左右端部のうちのいずれか一端部が開放する袋状のものであると共に框体に被せてあり、エッジ材は、シート材の閉塞側に位置し且つ少なくとも相対向する一組の框の外周側に取り付けてシート材の閉塞側端部を挟着してシート材を緊張させるものであり、シート材の開放側端部は、シート材の開放側に位置する框に固定してあることを特徴とするパネル体。
【請求項３】
シート材の閉塞側端部が位置する框は、外周側面が内周側に凹む凹部を有し、シート固定部材は、框の凹部に嵌まる凸部を有することを特徴とする請求項１又は２記載のパネル体。
【発明の詳細な説明】
【技術分野】
【０００１】
本発明は、框体に袋状のシート材を被せる構造のパネル体に関するものである。
【背景技術】
【０００２】
この種のパネル体として、例えば特許文献１のように、一方側または他方側のいずれかの方向に湾曲し、且つ上下框と左右框とからなる略矩形状の框体に、ファスナーやボタン等によって開放端部の開け閉めが自在な間仕切り袋を被せたものがある。また特許文献２のように、略矩形状をなす框体の外周側に着脱自在なエッジ部を取り付け、框体の一方側と他方側の両面に宛がったシート材の端部をエッジ部で挟んで固定したものが開示されている。
【特許文献１】特開２００６−３１６４９９
【特許文献２】特開２００５−２３４８６５
【発明の開示】
【発明が解決しようとする課題】
【０００３】
しかしながら、特許文献１に示されるものは、框体に間仕切り袋を被せたときに、框体の湾曲により間仕切り袋を張り出して緊張させるものであるから、仮にフラットな框体に間仕切り袋を取り付けるときには、しわを伸ばした状態で緊張させて間仕切り袋を取り付けできない不都合があった。また、特許文献１のものを扉としたときには、框体の戸先側に位置する間仕切り袋の端部が保護されることなく外に露出してしまうため、例えば、人の往来や、扉の経年使用による開閉したときの枠との接触などで間仕切り袋が摺れたり裂けてしまう懸念があり、このことから、人の往来の比較的少ない場所で固定して取り付ける建具などにパネル体の適用を限定せざるを得ない。さらに、特許文献２に示されるものは、面状のシート材を框体の両パネル面にあてがい、各々のシート材の両端部を框体の外周側に巻き込んでエッジ部で固定するものであったから、シート材を框体の両パネル面にしっかりと位置合わせして固定しなければ、シート材が偏って固定されて見栄えが悪くなってしまうため、框体へのシート材の取り付けが容易ではなかった。
本発明は以上に述べたような実情に鑑み、框体にシート材を容易に固定できると共に、框体の形状を問わずにシート材のしわを伸ばして緊張させた状態で固定できて体裁も良好であり、シート材の長期的な耐用性も確保できて様々な建具に広く適用できるパネル体を提供することを目的とする。
【課題を解決するための手段】
【０００４】
本発明の請求項１記載の発明は、框体とシート材とエッジ材とを備え、シート材は、上下又は左右端部が開放する筒状のものであると共に框体に被せてあり、エッジ材は、シート材の閉塞側に位置する左右框又は上下框の外周側に取り付けてシート材の閉塞側端部を挟着してシート材を緊張させるものであり、シート材の開放側端部は、シート材の開放側に位置する上下又は左右框に固定してあることを特徴とする。
【０００５】
本発明の請求項２記載の発明は、框体とシート材とエッジ材とを備え、シート材は、上下左右端部のうちのいずれか一端部が開放する袋状のものであると共に框体に被せてあり、エッジ材は、シート材の閉塞側に位置し且つ少なくとも相対向する一組の框の外周側に取り付けてシート材の閉塞側端部を挟着してシート材を緊張させるものであり、シート材の開放側端部は、シート材の開放側に位置する框に固定してあることを特徴とする。
【０００６】
本発明の請求項３記載の発明では、シート材の閉塞側端部が位置する框は、外周側面が内周側に凹む凹部を有し、シート固定部材は、框の凹部に嵌まる凸部を有することを特徴とする。
【発明の効果】
【０００７】
請求項１記載の発明によれば、筒状のシート材を框体に被せたときに、シート材の閉塞側が位置する左右框、又は上下框の外周側からエッジ材を取り付けることにより、框体の形状にかかわらず、しわを分散して緊張した状態でシート材を容易に取り付けできる。これにより、パネル体の体裁が良好なものとなる。また、エッジ材がシート材の閉塞側端部に位置する上下框又は左右框に、その上下框又は左右框の外周側からシート材の閉塞側端部を挟着することで、例えば、扉や引戸などの開閉戸であってもシート材の閉塞側端部が枠に接触せずにシート材の長期的な保護が図られることから、本パネル体の適用可能性が拡がることになる。また、シート材が筒状のものであれば、框体の大きさに合わせてシート材の開放側端部を切り縮めて適切なサイズにすることも容易であり、請求項２のように、シート材が袋状のものであれば、框体に対してシート材の開放した一側から被せたときに、シート材の閉塞側が框体の一側に当接して、シート材が框体全体をすっぽりと被せた状態に自然に保持されてパネル体の施工が容易となる。
【０００８】
請求項３記載の発明によれば、框の外周側面が内周側に凹んだ凹部を有すると共に、端部カバーには、前述した框外周側の凹部に嵌めることが可能な凸部を有している。このことから、シート材を框体に被せた後に、エッジ材の凸部がシート材を挟んで框の凹部に嵌まり、エッジ材がシート材を框体の内周側に押し出しながら固定するので、框体に被せたシート材のしわを伸ばして緊張した状態とすることができるので、外観の体裁が良好なものとなる。
【発明を実施するための最良の形態】
【０００９】
以下に、本発明のパネル体の実施形態を図面に基づいて説明する。
図１（ａ）は、パネル体の横断面図を示すものであり、（ｂ）は、縦断面図を示すものである。図２（ａ）（ｂ）（ｃ）（ｄ）（ｅ）は、シート材２を框体１に取り付けるときの手順を示すものである。
【００１０】
本実施にかかるパネル体は、図１（ａ）（ｂ）のように、上枠レール６と下枠レール７に沿って走行すると共に、上框１ａと下框１ｂと左框１ｃと右框１ｄとからなる框体１の上方、あるいは下方から筒状をなすシート材２を被せ、左右框１ｃ，１ｄの外周側にシート材４の閉塞側端部２ｂを挟着する状態でエッジ材４を各々取り付け、框体１の両パネル面にしわを伸ばして緊張させた状態でシート材２を取り付けたものである。シート材２は、拡げた状態で略矩形状をなす布の上下端部間又は左右端部間をつないで筒状に形成したものであり、筒状の開放した両開放側端部２ａ，２ａは、框体１を筒内に入れることが可能な孔幅を有している。框体１のうちの左右框１ｃ，１ｄは、図１（ａ）に示すように、その内周側にパネル芯材９の保持部１０を有すると共に、外周側には凹部５を有するものである。凹部５は、左右框１ｃ，１ｄの外周側において段状に形成してあり、内周側に向けて次第に溝幅が狭まるテーパ状をなしている。凹部５には、エッジ材４を取り付けてあり、エッジ材４の内周側には、左右框１ｃ，１ｄの凹部５と略一致する形状の凸部４ａを有しており、シート材２を框体１に被せたときに、エッジ材４の凸部４ａを左右框１ｃ，１ｄ外周側の凹部５に嵌めてシート材２の閉塞側端部２ｂを挟着し、さらに、エッジ材４の外周側からネジ４ｂ止めし、エッジ材４の外周側に目隠し用のカバー４ｃを被せることで、左右框１ｃ，１ｄの外周側に取り付けできる。尚、符号４ｄは、クッション材であり、同一レール上を走行する他方のパネル体との戸当たり側に設けて、両パネル体を閉じたときの衝撃を緩衝するものである。
【００１１】
次に、框体１にシート材２を被せて固定する手順について、以下に説明する。
まず第１の手順として、図２（ａ）のように、框体１の上方からシート材２の開放側端部２ａを被せて、図２（ｂ）のように、框体１の全体をシート材２で覆う。第２の手順として、図２（ｃ）のように、左右框１ｃ，１ｄの外周側に各々設けてある凹部５に、エッジ材４の凸部４ａをあてがい、左右框１ｃ，１ｄとエッジ材４によりシート材２の閉塞側端部２ｂを挟着した状態とし、さらにエッジ材４を外周側からネジ４ｂ止めし、最後に目隠し用のカバー４ｃを嵌めてシート材２を固定する。第３の手順として、図２（ｄ）のように、該当図面では上方のもののみを示すが、図１（ａ）も参照して、シート材２の上方の開放側端部２ａを上框１ａの上向きの凹溝１２ａの内側に向けて折り返し、さらに、上框１ａの凹溝１２ａの中に、ブロック状をなす布固定部材３を上枠レール取付部材１１の両側を挟む位置に嵌入して、シート材２の上方の開放側端部２ａを挟着する。一方、シート材２の下方の開放側端部２ａは、下框１ｂの下向きの凹溝１２ｂの内側に向けて折り返し、さらに、下框１ｂの凹溝１２ｂの中に、補助部材８を嵌入して、シート材２の下方の開放側端部２ａを挟着する。これにより、シート材２の上下の両開放側端部２ａ，２ａを各々固定する。以上の各手順を経ることにより、図２（ｅ）のように、框体１にシート材２を取り付ける作業が完了する。以上のように、シート材２を框体１に取り付けることにより、左右框１ｃ，１ｄの外周側の凹部５に、シート材２の閉塞側端部２ｂを挟着したエッジ材４の凸部４ａが内周側に押し出すように嵌まり、シート材２における框体１の両パネル面を覆う箇所は、凹部５内に向かって引き寄せられることから、これによりシート材２は、しわを伸ばして緊張させた状態で框体１に取り付けることができる。また、シート材２が筒状をなすことで、框体１の大きさに合わせて開放側端部２ａ，２ａを容易に切り縮めることもできる。
【００１２】
本発明のパネル体の他の実施形態として、図３に示すように、シート材２の両開放側端部２ａ，２ａを各々上框１ａと下框１ｂで固定することもできる。具体的には、上框１ａを上框本体と補助部材８ａとから構成し、下框１ｂを下框本体と補助部材８ｂとから構成するもので、シート材２の開放側端部２ａ，２ａを上框本体および下框本体の凹溝内に折り返すと共に、その凹溝内に補助部材８ａ，８ｂを嵌合してシート材２の開放側端部２ａを挟んでいる。
【００１３】
本発明は、上述した二例の実施形態に限らず、例えば、上下框１ａ，１ｂまたは左右框１ｃ，１ｄの外周側に設ける凹部５の形状が例えば、アール状に丸みを帯びて窪んでおり、また、エッジ材４の凸部４ａの形状も凹部５に一致する形状のものであってもよい。また本パネル体は、前述の実施形態で示した引戸のほか、扉や間仕切りなどに使用することもでき、その適用の範囲を限定するものではない。また、シート材２，２０は、図４（ａ）のように、上記実施形態のような筒状のもの以外に、上下左右端部のいずれか一端部が開放する袋状のものであってもよく、このようなシート材２０を框体１に取り付けるときには、図３に示す実施形態のパネル体を例に挙げて説明すれば、図４（ｂ）のように、シート材２０下端の開放側端部２０ａを框体１の上方から被せて全体を覆い、次いで、図４（ｃ）のように、左右框１ｃ，１ｄと接するシート材２０の左右端の両閉塞側端部２０ｂ，２０ｂにエッジ材４を夫々嵌合し、最後に、図４（ｄ）のように、上框本体と接するシート材２０上側の閉塞側端部２０ｃを挟み込む状態で上框本体の凹溝１２ａ内に補助部材８ａを嵌合し、同様に、シート材２０の下端の下方側端部２０ａを挟み込む状態で下框本体の凹溝１２ｂ内に補助部材８ｂを嵌合することで、図５のように、シート材２０を框体１に取り付けることもできる。また、本実施によるシート材２０の開放する側は、框体１の形状などにあわせて上下左右端部のいずれであってもよい。また、シート材２０が袋状のものであれば、シート材２０の閉塞側端部２０ｃが位置する上下左右框１ａ，１ｂ，１ｃ，１ｄの三方の框の外周側に凹部５を設け、夫々にエッジ材４を挟着してもよい。
【図面の簡単な説明】
【００１４】
【図１（ａ）（ｂ）】（ａ）は、パネル体の縦断面図を示し、（ｂ）は、横断面図を示すものである。
【図２（ａ）（ｂ）（ｃ）（ｄ）（ｅ）】（ａ）（ｂ）（ｃ）（ｄ）（ｅ）は、框体にシート材を固定するときの手順を示す斜視図である。
【図３】パネル体の他の実施形態を示す縦断面図である。
【図４（ａ）（ｂ）（ｃ）（ｄ）】同じく、パネル体の他の実施形態であり、（ａ）（ｂ）（ｃ）（ｄ）は、框体にシート材を固定するときの手順を示す斜視図である。
【図５】図４（ａ）（ｂ）（ｃ）（ｄ）に示すパネル体の縦断面図である。
【符号の説明】
【００１５】
１  框体
１ａ  上框（上下框）
１ｂ  下框（上下框）
１ｃ  左框（左右框）
１ｄ  右框（左右框）
２，２０  シート材
２ａ，２０ａ  開放側端部
２ｂ，２０ｂ  閉塞側端部
４  エッジ材
４ａ  凸部
５  凹部
【図１（ａ）（ｂ）】
2009079467.tif 000003
【図２（ａ）（ｂ）（ｃ）（ｄ）（ｅ）】
2009079467.tif 000004
【図３】
2009079467.tif 000005
【図４（ａ）（ｂ）（ｃ）（ｄ）】
2009079467.tif 000006
【図５】
2009079467.tif 000007